(57)【要約】【課題】各通信相手先に関連する様々な登録情報を画面上に一覧表示させることにより、ユーザが各登録情報の有無を視認しやすい携帯通信端末を提供する。【解決手段】メモリには、各通信相手先に対して、相手先の各項目（「電話番号１」，「住所」等）に対する属性データを含む属性データテーブルと各項目に対応する記号データ（電話機を示す記号，家を示す記号等）が記憶され、待受画面の状態（画面ＳＣ１０）で、ユーザにより所定のキーが操作されると、制御回路は、表示部に対し、各通信相手先に対応する表示領域を並列的に配置させ、その各表示領域には、各通信相手先に対して電話番号のみが登録されている場合には、その電話番号のテキストを表示させ、各通信相手先に対して電話番号以外の項目も登録されている場合には、対応する通信相手先の属性データテーブルに属性データが存在する項目について、対応する記号データを検索して表示させる（画面ＳＣ２０）ように構成した。【選択図】図４
2005130110.tif 000002
【特許請求の範囲】
【請求項１】
表示手段と、
無線通信先を示すテキストデータと、複数の項目を有し少なくとも項目の１つが前記無線通信先の通信番号である属性データとが関連付けられた複数の無線通信先データを記憶する記憶手段と、
前記複数の無線通信先データに対応するデータ表示領域を、前記表示手段にそれぞれ並列的に配置し、対応する無線通信先を示すテキストデータと通信番号とを前記データ表示領域に表示させる制御手段と
を有し、
前記制御手段は、
一の無線通信先に関して通信番号以外の項目が関連付けられているとき、当該無線通信先の前記データ表示領域に、通信番号に代えて関連付けられた属性データの各項目に対応付けられた記号を表示する
ことを特徴とする携帯通信端末。
【請求項２】
表示手段と、
無線通信先を示すテキストデータと、複数の項目を有し少なくとも項目の１つが前記無線通信先の通信番号である属性データとが関連付けられた複数の無線通信先データを記憶する記憶手段と、
前記複数の無線通信先データに対応するデータ表示領域を、前記表示手段にそれぞれ並列的に配置し、対応する無線通信先を示すテキストデータと通信番号とを前記データ表示領域に表示させる制御手段と
を有し、
前記属性データは、無線通信に関する項目と、無線通信に関しない項目とを含み、
前記制御手段は、
一の無線通信先に関して通信番号以外の項目が関連付けられているとき、当該無線通信先の前記データ表示領域に、通信番号に代えて関連付けられた属性データのうち、無線通信に関する項目に対応付けられた記号およびテキストデータを表示する
ことを特徴とする携帯通信端末。
【請求項３】
前記制御手段は、
一のデータ表示領域が選択されると、選択されたデータ表示領域に対応する無線通信先データに関連付けられたすべての属性データの詳細を、それぞれの属性データに対応する前記記号とともに表示可能とする
ことを特徴とする請求項１または２記載の携帯通信端末。
【発明の詳細な説明】
【技術分野】
【０００１】
本発明は、たとえば携帯電話機のような携帯通信端末に関するものである。
【背景技術】
【０００２】
近年、携帯通信端末としての携帯電話機は、単に外出先で通信を行うことだけにとどまらず、通信相手先（相手先）に関連する様々な情報を一元管理するためのツールとして、位置付けられている。
たとえば、携帯通信端末としての携帯電話機において、通信相手先のアドレス帳には、相手先の誕生日や住所など無線通信と関係のない情報がユーザにより入力され、管理されている。このようなユーザ毎の情報は、携帯電話機の１画面ではすべてを表示できないほど多量なものなっている。
【０００３】
そして、従来の携帯電話機においては、ユーザによる所定の操作に応じて、アドレス帳のリストが表示されると、各通信相手先の「相手名称」「電話番号」を示すテキストが表示されるため、ユーザは、１つの通信相手先を選択して所定のキーを操作することにより、ワンアクションで電話番号を発呼することができ、操作が容易となっている。また、所定のキーを操作することにより、選択された通信相手先への電子メールの作成画面に移行させる場合もある。
ユーザが通信相手先の電話番号以外の情報、たとえば上述した相手の誕生日や住所等の登録情報にアクセスするためには、アドレス帳のリスト表示画面で通信相手先を選択し、各通信相手先毎の登録情報の詳細を画面に表示させ、その詳細情報の中から所望の情報を探すという操作が必要である。
【発明の開示】
【発明が解決しようとする課題】
【０００４】
しかしながら、電話番号以外の情報について、ユーザがその登録状況を把握するためには、登録情報の詳細画面を表示させて初めて所望の情報の登録有無が明確になるため、煩雑である。特に、所望の情報が登録されていない場合は、ユーザが登録情報の詳細画面を表示させて所望の情報を探す動作は、まったく無駄な操作となる。
また、本来、相手先を発呼する場合は、相手先の電話番号が画面に表示される必要はなく、発呼相手先が明確になっていればよいにも関わらず、「電話番号」を示す数字のテキストをアドレス帳のリスト表示画面に表示するため、各通信相手先が有する多くの情報に対して、アドレス帳のリスト表示画面が有効に活用できていない。
また、近年、通信機能を有するＰＤＡやディジタルカメラ、ディジタルビデオ等も考えられているが、これらについても通信の相手先管理が多様化すると、携帯電話機同様のことが言える。
【０００５】
したがって、本発明の目的は、各通信相手先に関連する様々な登録情報を画面上に一覧表示させることにより、ユーザが各登録情報の有無を視認しやすい携帯通信端末を提供することにある。
【課題を解決するための手段】
【０００６】
上記目的を達成するために本発明の第１の観点は、表示手段と、無線通信先を示すテキストデータと、複数の項目を有し少なくとも項目の１つが前記無線通信先の通信番号である属性データとが関連付けられた複数の無線通信先データを記憶する記憶手段と、前記複数の無線通信先データに対応するデータ表示領域を、前記表示手段にそれぞれ並列的に配置し、対応する無線通信先を示すテキストデータと通信番号とを前記データ表示領域に表示させる制御手段とを有し、前記制御手段は、一の無線通信先に関して通信番号以外の項目が関連付けられているとき、当該無線通信先の前記データ表示領域に、通信番号に代えて関連付けられた属性データの各項目に対応付けられた記号を表示する携帯通信端末である。
【０００７】
上記目的を達成するために本発明の第２の観点は、表示手段と、無線通信先を示すテキストデータと、複数の項目を有し少なくとも項目の１つが前記無線通信先の通信番号である属性データとが関連付けられた複数の無線通信先データを記憶する記憶手段と、前記複数の無線通信先データに対応するデータ表示領域を、前記表示手段にそれぞれ並列的に配置し、対応する無線通信先を示すテキストデータと通信番号とを前記データ表示領域に表示させる制御手段とを有し、前記属性データは、無線通信に関する項目と、無線通信に関しない項目とを含み、前記制御手段は、一の無線通信先に関して通信番号以外の項目が関連付けられているとき、当該無線通信先の前記データ表示領域に、通信番号に代えて関連付けられた属性データのうち、無線通信に関する項目に対応付けられた記号およびテキストデータを表示する携帯通信端末である。
【０００８】
好適には、前記制御手段は、一のデータ表示領域が選択されると、選択されたデータ表示領域に対応する無線通信先データに関連付けられたすべての属性データの詳細を、それぞれの属性データに対応する前記記号とともに表示可能とする。
【発明の効果】
【０００９】
本発明に係る携帯通信端末によれば、各通信相手先に関連する様々な登録情報の有無が視認しやすいので、携帯通信端末に含まれる情報に対するアクセスが容易となる利点がある。
【発明を実施するための最良の形態】
【００１０】
第１の実施形態
以下、本発明の第１の実施形態を添付図面に関連付けて、携帯電話機を例に説明する。  図１は、本実施形態に係る携帯電話機本体の外観図である。図２は、本実施形態に係る携帯電話機の主要回路の構成例を示すブロック図である。
【００１１】
携帯電話機１は、図１および図２に示すように、本体ケース１１、通信部１２、音声部１３、表示手段としての表示部１４、入力手段としての操作部１５、記憶手段としてのメモリ１６、および制御手段としての制御回路１７を有している。
【００１２】
通信部１２は、送受信アンテナ１２１、および無線回路１２２により構成されている。  送受信アンテナ１２１は、図１に示すように、本体ケース１１の上端部に引き出し可能に設けられている。
無線回路１２２は、電波を利用した無線通信で行うために、制御回路１７で処理された音声情報、ＩＤ、Ｗｅｂページデータの閲覧要求情報等を変調してアンテナ１２１により図示しない基地局に送信する。
また、無線回路１２２は、基地局から無線により送信され、アンテナ１２１で受信したページデータや音声情報等の各種情報を復調して制御回路１７に出力する。
【００１３】
音声処理部１３は、音声処理回路１３１を有し、通話機能のために音声入力を行うマイクロフォン１３２と音声出力を行うスピーカ１３３が接続されている。
音声処理回路１３１は、マイクロフォン１３２により入力した音声に対して所定の処理を行って制御回路１７に供給する。
また、音声処理回路１３１は、制御回路１７により供給された音声情報に対して所定の処理を行ってスピーカ１３３から放音させる。
図１に示すように、マイクロフォン１３２は、ケース本体１１の操作部１５の下部に配置され、スピーカ１３３は表示部１４の上部に配置されている。
【００１４】
表示部１４は、図１に示すように、ケース本体１１の上部側に配置された液晶表示装置（ＬＣＤ）等の表示デバイスを有し、通話機能のために入力した電話番号や各種メッセージ、テキストデータを含むメモ等を表示する。
また、表示部１４は、たとえば最上段の１行分は、モードの種類、電波の強さ、電池残量等を表示するガイド表示行として用いられる。
【００１５】
操作部１５は、図１に示すように、ケース本体１１の下部側に配置され、終了（終話）／電源キー１５ａ、開始（発呼）キー１５ｂ、閲覧モードキー１５ｃ、上下左右キー１５ｄ、センターキー１５ｅ、数字０〜９やア（あ）行〜ワ（わ）行文字に対応した複数（１０個）のテンキー１５ｆ、＊キー１５ｇ、＃キー１５ｈ、文字キー１５ｉ、クリアキー１５ｊ等を有する。
【００１６】
メモリ１６は、たとえばＥＥＰＲＯＭを含んで構成され、通話やメールの送受信のための制御プログラム、インターネットブラウザ、メッセージデータ、名前および電話番号が登録されたアドレス帳等が記憶される。
【００１７】
また、本実施形態においては、メモリ１６には、アドレス帳の各通信相手先に対応した属性データテーブルと記号データが記憶される。
図３は、メモリ１６に記憶される属性データテーブルと記号データを説明するための図であり、（ａ）は相手先１の属性データテーブルの例を、（ｂ）は相手先２の属性データテーブルの例を、（ｃ）は相手先ｎの属性データテーブルの例を、（ｄ）は記号データの例を、それぞれ示す。
【００１８】
属性データテーブルは、図３（ａ）〜（ｃ）に示すように、アドレス帳に登録された各通信相手先ごとに用意され、（１）属性ナンバーと、（２）各通信相手先の属性の項目と、（３）その項目の内容（属性データ）と、（４）対応する記号識別符号と、がセットになって構成される。
また、各属性データテーブルは、通信相手先を示すテキストデータとリンクしているため、制御回路１７は、通信相手先を示すテキストデータと各属性データテーブルに含まれる上記各データを関連付けて処理することが可能である。
【００１９】
属性データテーブルは、属性ナンバー毎に異なる項目が割り当てられ、図３（ａ）に示す相手先１の例では、属性ナンバー「３」に「電話番号１」を示す項目が、属性ナンバー「８」に「住所」を示す項目が、それぞれ割り当てられている。
属性ナンバー「３」に対応する項目（「電話番号１」）のような無線通信に関連する項目だけでなく、属性ナンバー「８」に対応する項目（「住所」）のように対応する通信相手先の誕生日や住所など無線通信に関連しない項目についても、各属性データテーブルに設定することが可能である。
【００２０】
図３（ａ）〜（ｃ）の（３）に示す内容（属性データ）には、各属性の項目に対応する通信相手先のデータが格納される。たとえば、図３（ａ）の相手先１に対する「電話番号１」の項目に対応する属性データは、045-XXX-XXXXとなる。
図３（ａ）〜（ｃ）の（４）に示す記号識別符号は、アドレス帳のリスト表示に表示させる記号に対応する符号（コード）である。
記号識別符号は、後述する記号データに対応するように設定される。そして、アドレス帳のリスト表示が行われる時には、各相手先に割り当てられた表示領域に、記号識別符号に応じた記号データが表示される。たとえば、記号識別符号が「０ｘ１２」である場合には、図３（ｃ）に示す対応する記号データを参照して、電話機を示す記号が表示される。  
【００２１】
制御回路１７は、マイクロコンピュータを主体として構成され、携帯電話機１の全体の制御を行う。たとえば、制御回路１７は、通信部１２における各種情報の無線による送受信の制御、音声処理部１３に対する音声情報の処理、表示部１４への情報の表示制御、操作部１５の入力情報に応じた処理、およびメモリ１６への処理に応じたアクセス制御等を行う。
また、制御回路１７は、アドレス帳を表示部１４に表示させる際に、上述した各通信相手先の属性データテーブルおよび記号データを参照する。その動作については後述する。  
【００２２】
次に、図４および図５に関連付けて、本実施形態における携帯電話機１の動作について説明する。
図４に示すとおり、本実施形態の携帯電話機１においては、電源起動直後であって通信動作を行っていない、いわゆる待受画面の状態（画面ＳＣ１０）で、ユーザによる所定のキーが操作されると、登録された通信相手先の一覧が表示される（画面ＳＣ２０）。
ここで、各通信相手先に割り当てられた表示領域には、通信相手先を示すテキストのほか、１または複数の記号が表示される。
たとえば、図４の画面ＳＣ２０に示すように、通信相手先を示すテキストが「相田慎吾」である場合には、電話機と家を示す記号が表示されている。また、通信相手先を示すテキストが「飯田太郎」である場合には、家を示す記号が表示されている。
【００２３】
上述した図４に示すようなアドレス帳のリスト表示動作に関連付けて、制御回路１７の処理動作を、図５のフローチャートに関連付けて説明する。
図５において、まず、アドレス帳を表示するための所定のキーがユーザにより操作されると（ステップＳＴ１０）、制御回路１７は、メモリ１６上の各相手先の属性データテーブルを順次処理していく。すなわち、図３（ａ）〜（ｃ）に示すように、相手先１→相手先２→…といった順に最後の相手先まで実行する（ステップＳＴ１１）。
各相手先に対しては、まず登録されている内容（属性データ）が電話番号のみであるか否かがチェックされ（ステップＳＴ１２）、電話番号のみが登録されている場合には、その電話番号のテキストを表示部１４に表示させる（ステップＳＴ１３）。
登録されている内容（属性データ）が電話番号のみでない場合には、各相手先に対して、属性データが存在する項目に対応する記号データを表示部１４に表示させる。たとえば、最初に実行する相手先１、すなわち図４の例では「相田慎吾」のテキストを示す相手先に対応する属性データテーブルのすべての項目について、ステップＳＴ１５，１６の処理を行う（ステップＳＴ１４）。
【００２４】
すなわち、制御回路１７は、各属性データテーブルの各項目の内容（属性データ）が存在するか否かをチェックし（ステップＳＴ１５）、属性データが存在する（登録されている）場合には、該当する記号識別符号に基づいて、記号データを参照し、記号識別符号に対応する記号データを表示部１４に表示させる（ステップＳＴ１６）。
制御回路１７は、属性データテーブルの各項目の内容（属性データ）が存在するか否かをチェックし（ステップＳＴ１５）、その結果、属性データが存在しない（登録されていない）場合には、記号データを表示部１４に表示させない。
【００２５】
ステップＳＴ１５，１６が実行された結果、図４の画面ＳＣ２０に示す例では、相手先１である「相田慎吾」に対して、「電話番号１」および「住所」の項目に属性データが存在する（登録されている）ため、「電話番号１」の項目を示す電話機の記号と「住所」の項目を示す家の記号の２つの記号が表示され、その他の項目については属性データが存在しない（登録されていない）ため、該当する記号が表示されない。
【００２６】
相手先１のすべての項目について処理が終了すると、相手先１の次の相手先２について上述したステップＳＴ１２〜１６の処理が行われる。すなわち、相手先２について電話番号しか登録されていない場合には電話番号を表示させ、電話番号以外も登録されている場合には、相手先２の属性データテーブルのすべての項目について、順に対応する属性データがあるか否かチェックを行い、属性データが存在する項目の記号識別符号に基づいて記号データを検索し、表示させる。
その結果、図４の画面ＳＣ２０に示す例では、相手先２である「飯田太郎」に対して、「住所」の項目を示す家の記号が１つ表示され、その他の項目については属性データがないため、該当する記号が表示されない。
【００２７】
また、図４の画面ＳＣ２０に示す例で、相手先３である「上田聡」について、電話番号の項目のみが登録されている場合であり、上述したステップＳＴ１３が実行される結果、該当する電話番号のテキストが表示される。
【００２８】
なお、本実施形態においては、図４の画面ＳＣ２０に示すように、相手先に割り当てられた表示領域においては、各相手先に対応するテキストデータ（たとえば、「相田慎吾」）が表示されている領域の下側に、ステップＳＴ１６で表示させる記号データやステップＳＴ１３で表示させる電話番号のテキストを表示させるように構成しているが、これに拘泥せず、各相手先に割り当てられた表示領域の任意の位置に表示できることは言うまでもない。
また、図４の画面ＳＣ２０に例示するように、各相手先の表示領域の右端部分に、各相手先の登録された画像データを表示するように構成することもできる。
【００２９】
以上説明した処理が、登録されたすべての通信相手先に対して行われ（ステップＳＴ１１）、制御回路１７は、上述した動作に基づいて、各相手先に割り当てられる表示領域に登録された属性データに対応する記号または電話番号を、その相手先にリンクされた相手先を示すテキストとともに配置し、さらに、各相手先の表示領域が並列的に配置して表示するように、表示部１４を制御する。その結果、図４の画面ＳＣ２０に示す画面が得られる。
【００３０】
ここで、各相手先の表示領域を表示する順番は、図４の画面ＳＣ２０に示すように、たとえば相手先を示すテキストの５０音順により配置させるようにしてもよいし、その他所定の規則に沿って配置させるようにしてもよい。
なお、表示部１４の表示領域（ＬＣＤ）の大きさに応じて、各通信相手先に割り当てられる表示領域に表示可能な記号の数は限定されるが、属性データが存在する項目の数が、表示領域に表示可能な記号の数よりも大きい場合には、属性データテーブルの属性ナンバーの順に表示させてもよいし、所定の優先順位に従って表示させるようにしてもよい。
また、図３（ｄ）から明らかなように、ユーザは、各項目に対応する記号データを変更したい場合には、記号識別符号に対応する記号データを変更するように制御回路１７を構成すればよい。
【００３１】
以上説明したように、本実施形態の携帯電話機１によれば、表示部１４と、複数のキーを含む操作部１５と、各通信相手先に対応した属性データテーブルとアドレス帳のリスト表示で表示すべき記号データを記憶するメモリ１６と、制御回路１７とを有し、制御回路１７は、ユーザにより操作部１５の所定のキーが操作されると、制御回路１７は、表示部１４に対し、各通信相手先に対応する表示領域を並列的に配置させ、その各表示領域には、各通信相手先に対して電話番号のみが登録されている場合には、その電話番号のテキストを表示させ、各通信相手先に対して電話番号以外の項目も登録されている場合には、対応する通信相手先の属性データテーブルに属性データが存在する項目について、対応する記号データを検索して表示させるように構成した。
【００３２】
したがって、ユーザの所定のキーの操作により、アドレス帳のリスト表示画面上で、各通信相手先の電話番号，住所等の属性データの登録有無が一目で確認できるので、各相手先の詳細表示をさせる必要がなく、通信相手先の電話番号，住所等の情報に対するアクセス性能が高く便利である。
たとえば、アドレス帳のリスト表示画面上で、各属性の項目に対応する記号表示がない場合には、その項目に対応する属性データがないことがわかるので、アクセスしたい情報がないにも関わらず、詳細表示をさせて該当項目を検索する無駄な操作を行う必要がない。
また、各通信相手先に対して電話番号のみが登録されている場合には、その電話番号自体を各相手先の表示領域に表示させ、その他の属性データが多数登録されている場合であっても、各相手先の表示領域の大きさを変更せずに、属性データに対応する記号を表示させるため、リスト表示画面上で多数の相手先に対する情報を表示できるばかりでなく、表示のためのソフトウエアを大きく変更する必要がなく、したがってコストアップ防止にも資する。
また、アドレス帳のリスト表示画面上で、属性データの登録有無を、各属性項目に対応する記号で表示させるので、属性項目に対する視認性が高く便利である。
なお、ユーザは、記号データを編集することで、属性項目について想起しやすい記号を選択して表示させることができるよう構成し、属性項目に対する視認性をより高めることもできる。
【００３３】
第２の実施形態
以下、本実施形態について説明する。
図６は、本実施形態における動作を説明するためのフローチャートであり、第１の実施形態で説明した図５のフローチャートと比較して、ステップＳＴ１４ａが付加された点で異なる。
第１の実施形態における携帯電話機１は、アドレス帳のリスト表示画面において、対応する通信相手先の属性データテーブルの各項目に属性データが存在する場合に限り、その項目に対応する記号データを表示させるように構成したが、本実施形態における携帯電話機１では、項目が無線通信に関する項目（たとえば、電話番号や電子メールアドレス等）であり、かつ、属性データが存在する場合に限り、その項目に対応する記号データを表示させるように構成した。
ここで、無線通信に関する項目とは、その項目を用いることにより無線通信網に対して通信要求を行うことのできる、電話番号、メールアドレス、ＩＰ電話に用いるＩＰアドレス、ホームページのＵＲＬなどである。
また、通信相手先の血液型や星座，趣味，郵便番号や住所（後述する図７に例示）など無線通信に直接関係のない項目については、原則として上記無線通信に関する項目には含まれないが、住所や趣味等であっても、たとえばインターネットのＵＲＬにリンクされており、操作部１５の操作で指定することにより、リンクされたＵＲＬのＷｅｂページにアクセスするように制御回路１７が構成されている場合には、その項目は無線通信に関する項目に含めてもよい。
【００３４】
具体的には、本実施形態では、図６に示すフローチャートにおいて、ステップＳＴ１４ａを付加し、無線通信に関する項目に限り、ステップＳＴ１５によって属性データの有無がチェックされるので、検索する項目が無線通信に関する項目であり、かつ、その属性データが存在する場合に限り、対応する記号を表示部１４が表示するように、制御回路１７が制御する。
ここで、どの項目が無線通信に関する項目であるかについての判断（ステップＳＴ１４ａ）は、予めどの属性ナンバーが無線通信に関する項目に該当するかについて決めておけば、容易に実行可能である。
【００３５】
これにより、各相手先に対する項目の中で重要な情報である無線通信に関する項目のみが表示されるので、携帯電話機１の本来的機能（無線通信機能）に対する情報の視認性が高くなる。
特に、各相手先に設定される属性項目の数が多い場合には、すべての項目に対応する記号を表示させると、無線通信に関する項目に対する視認性が低下し、また、各相手先に割り当てられた表示領域にすべての項目に対応する記号を表示できない場合には、無線通信に関する項目が表示されないおそれもあるが、本実施形態では、記号の表示を無線通信に関する項目に限定したので、上述した問題がない。
また、各通信相手先に対して電話番号のみが登録されている場合には、その電話番号自体を各相手先の表示領域に表示させ、その他の属性データが多数登録されている場合であっても、各相手先の表示領域の大きさを変更せずに、属性データに対応する記号を表示させるため、リスト表示画面上で多数の相手先に対する情報を表示できるばかりでなく、表示のためのソフトウエアを大きく変更する必要がなく、したがってコストアップ防止にも資する。
さらに、ユーザにとって、アドレス帳を見るということは、通信の開始を希望している可能性が高く、その場合に、通信開始に必要な情報の検索時間が短縮できる。
【００３６】
次に、第１および第２の実施の形態について説明したアドレス帳について、詳細表示する際の動作を説明する。すなわち、アドレス帳のリスト表示画面において、ユーザにより１つの通信相手先が選択され、所定のキーが押下（操作）されると、すべての属性データを対応する記号と関連付けて表示させる（詳細表示）。
図７は、通信相手先のすべての属性データを、記号と関連付けて表示する１実施例を示す図であり、（ａ）〜（ｒ）は各項目を、（Ａ）は各項目に対応する記号を、（Ｂ）各項目に対応する属性データを、それぞれ示す。
なお、図７（Ａ）においては、図示の簡単のため、各項目に対応する記号を、数字を含む正方形により記載しているが、アイコン等の記号により表示可能であることは言うまでもない。
【００３７】
アドレス帳のリスト表示画面において、ユーザにより１つの通信相手先が選択され、所定のキーが押下（操作）されると、制御回路１７は、選択された相手先の属性データテーブルの項目を１つずつ検索して、表示部１４に表示させる。
すなわち、図７に示す例では、まず、属性ナンバー「１」であるアドレス帳No. に対応する記号識別符号に基づいて、対応する記号データを取り出し、取り出した記号データと、対応する属性データ（内容）を１列に表示させる。そして、属性ナンバーの順に、すべての項目に対応する記号データと属性データを、順次並列的に表示させる。
その結果、図７に示すように表示される。
【００３８】
すべての項目が表示部１４の１画面で表示できない場合には、上下左右キー１５ｄ等を操作することにより、すべての項目が順次表示部１４に表示されるように構成する。
【００３９】
これにより、アドレス帳のリスト表示画面において、記号を視認して属性データが登録されていることを認識したユーザは、所定のキーを操作することにより、所望の情報にアクセスすることが可能となる。
なお、本発明は、携帯電話機を例に説明したが、通信機能とアドレス帳を有していれば、たとえば、ＰＤＡや高機能なディジタルカメラ、ディジタルビデオなど、多岐にわたり活用することができる。
【図面の簡単な説明】
【００４０】
【図１】実施形態に係る携帯電話機の外観の一例を図解した図である。
【図２】実施形態に係る携帯電話機のシステム構成の一例を図解したブロック図である。
【図３】実施形態に係る携帯電話機の属性データテーブルと記号データの関係を示す図であり、（ａ）〜（ｃ）は属性データテーブルを、（ｄ）は記号データを、それぞれ示す。
【図４】実施形態に係る携帯電話機の表示部の動作を示す図である。
【図５】実施形態に係る携帯電話機の制御回路の処理動作を示すフローチャートである。
【図６】実施形態に係る携帯電話機の制御回路の処理動作を示すフローチャートである。
【図７】実施形態に係る携帯電話機の表示部の出力を示す図である。
【符号の説明】
【００４１】
１…携帯電話機
１１…本体ケース
１２…通信部
１２１…送受信アンテナ
１２２…無線回路
１３…音声処理部
１３１…音声処理回路
１３２…マイクロフォン
１３３…スピーカ
１４…表示部
１５…操作部
１６…メモリ
１７…制御回路
１８…可動機構部
１９…動作検出部
【図１】
2005130110.tif 000003
【図２】
2005130110.tif 000004
【図３】
2005130110.tif 000005
【図４】
2005130110.tif 000006
【図５】
2005130110.tif 000007
【図６】
2005130110.tif 000008
【図７】
2005130110.tif 000009